(57)【要約】      （修正有）【課題】複数の保管容器が安定的に積み重ねられて保管及び運搬できる保管容器を提供する。【解決手段】受け台の上面に側壁部１２０を備えて、その内側にウェーハが積み重ねられ、側壁部は本体１００と、本体の上部に覆い被せられてウェーハを保護する蓋体２００と、蓋体のカバー体の内側面に配備される結着部３２０と本体の受け台の上面に突出するフック部とからなり、結着部と側壁部が交互に配設されて収納室の全体が２重壁体により取り囲まれるようにする組立部３００と、本体の受け台の外側の端部から下向きに突出した積層壁体を備える。蓋体の上面にはこの積層壁体の内側に嵌め込まれる固定突起が配備される積層部と、本体の受け台に設けられ、側断面に「Ｗ」状に形成され、「Ｗ」状の中央に溝部が設けられる位置決め部と、ウェーハを積み重ねるときに本体の水平を維持して揺らぎを防ぐ固定ピンが配備される位置固定部６００と、を備える。【選択図】図１
2015222806.tif 000002
【特許請求の範囲】
【請求項１】
ウェーハを保管する保管容器であって、
受け台の上面に側壁部を備えて、その内側にウェーハが積み重ねられるようにするが、前記側壁部は２重壁体により構成される本体と、
端部に下向きにカバー体を備えて前記本体の上部に覆い被せられてウェーハを保護するようにする蓋体と、
前記蓋体のカバー体の内側面に配備される結着部と前記本体の受け台の上面に突出するフック部とからなり、前記結着部は、内外側壁により構成されるようにするが、蓋体が本体に覆い被せられたときに結着部と側壁部が交互に配設されて収納室の全体が２重壁体により取り囲まれるようにする組立部と、
前記本体の受け台の外側の端部から下向きに突出した積層壁体を備え、前記蓋体の上面にはこの積層壁体の内側に嵌め込まれる固定突起が配備される積層部と、
前記本体の受け台に設けられ、側断面に「Ｗ」状に形成され、前記「Ｗ」状の中央に溝部が設けられる位置決め部と、
前記位置決め部の溝部が嵌め込まれ、ウェーハを積み重ねるときに本体の水平を維持して揺らぎを防ぐ固定ピンが配備される位置固定部と、
を備えるウェーハ保管容器。
【請求項２】
前記組立部の結着部は、内外側壁の間に隔壁が立てられて空間が画成され、中央側の空間に仕切り板を備えるが、前記仕切り板にフック部が嵌め込まれる結着孔が形成される請求項１に記載のウェーハ保管容器
【請求項３】
前記位置決め部の溝部と位置固定部の固定ピンの各々は３地点に配設されるが、これらは正三角形状に配設される請求項１に記載のウェーハ保管容器。
【請求項４】
前記位置固定部には、基台板の上面に位置決め部の溝部が嵌め込まれて載置されるようにする固定ピンが配備され、この固定ピンは、上端にゴム製又は合成樹脂製の載置部が配備される請求項１に記載のウェーハ保管容器。
【請求項５】
前記組立部を構成するフック部は、受け台に立てられた弾性片の内側面に傾斜面を有する係合突起により構成される請求項１に記載のウェーハ保管容器。
【発明の詳細な説明】
【技術分野】
【０００１】
本発明は、ウェーハ保管容器に関する。
【０００２】
さらに詳しくは、本発明は、容器を構成するカバー体の上面と本体の底面の各々に嵌合が行われるようにする積層部を備えて、複数の保管容器が安定的に積み重ね保管及び運搬されるようにする保管容器に関する。
【０００３】
また、本発明は、本体の底面に位置固定部を備えてウェーハを積み重ねて保管するとき、保管容器を水平に維持することができ、しかも、揺らぎを防ぐことのできるウェーハ保管容器に関する。
【背景技術】
【０００４】
一般に、半導体素子を製造するためのウェーハ（ｗａｆｅｒ）は、高精密度の物品であるため、保管又は運搬に際して、外部の汚染物質及び衝撃から汚染されたり損傷されたりしないように注意を払うことが必要である。特に、保管及び運搬の過程において、ウェーハの表面が塵埃、水分、各種の有機物などの不純物により汚染されないように注意を払うことが必要である。このため、ウェーハを保管及び運搬するときには、必ず別途の保管容器内に収納して外部の衝撃及び汚染物質から保護しなければならない。
【０００５】
ウェーハ保管容器の一例として、下記の特許文献１に記載の技術が提案されている。この技術は、シリンダ状側壁を有する下部容器と、下部容器のシリンダ状側壁の上端部を収容する円形溝及び下部容器を覆うように下方に延びる容器壁体を有する上部容器と、を備える。
【０００６】
このようなウェーハ保管容器によれば、まず、下部容器のシリンダの内周にクッション材を敷き、その上に多数のウェーハを積み重ねる。このとき、ウェーハとウェーハのとの間には間紙（ｉｎｓｅｒｔ）を嵌め込んでウェーハ同士の直接的な接触を防ぐ。また、ウェーハの積み重ねが完了すると、最上層のウェーハの上にさらにクッション材を覆った後、下部容器を上部容器で覆って密閉する。なお、最終的にテープを用いて下部容器と上部容器を固定する。
【０００７】
しかしながら、このような従来のウェーハ保管容器は、下部容器と上部容器を一々にテープを用いて固定することを余儀なくされるという煩雑さがある。また、従来のウェーハ保管容器は多段に積み重ねることができないという欠点がある。すなわち、通常、ウェーハが保管されている保管容器を保管及び運搬する場合には、前記保管容器を多段に積み重ねて保管したり運搬したりする。しかしながら、従来の保管容器は多段に積み重ね難く、多段に積み重ねる場合、積み重ねられた保管容器が倒れたり乱れたりするという欠点がある。
【０００８】
そこで、本出願人は、例えば、下記の特許文献２に記載の保管容器を開発した。
【０００９】
この保管容器は、側面の少なくとも一部が切り取られて開放されたシリンダ状のウェーハ収容室を有する下部容器と、前記収容室を覆うように前記下部容器と係合される上部容器と、前記上部容器及び／又は前記下部容器と一体に形成されて、前記上部容器及び前記下部容器を係合させる係合部と、を備え、前記上部容器の上面及び前記下部容器の下面は、各々の少なくとも一部が互いに対面するときに形状が合わせられる板面プロファイルを有するように形成される。
【００１０】
また、前記係合部は、前記下部容器及び前記上部容器のうちのいずれか一方と一体に形成されるフック部を備え、前記下部容器及び前記上部容器のうちの他方には前記フック部が嵌め込まれて係止される係止孔が形成されている。
【００１１】
ところが、このような保管容器も、ウェーハが収納される収納室を安全に保護し難く、且つ、ウェーハを積み重ねて収納するとき、本体が揺れてウェーハが損傷される虞がある。
【先行技術文献】
【特許文献】
【００１２】
【特許文献１】大韓民国公開特許第２００２−８１９２９号
【特許文献２】大韓民国登録実用新案第２０−０３４２５０７号
【発明の開示】
【発明が解決しようとする課題】
【００１３】
本発明は、本出願人の上記の特許文献２の保管容器を改良したものであり、その目的は、ウェーハを積み重ねて収納するときに本体の揺らぎを防いでウェーハが損傷されることを防ぎ、本体の水平を維持してウェーハが傾いて積み重ねられることを防ぐウェーハ保管容器を提供するところにある。
【００１４】
本発明の他の目的は、手軽に収納及び保管可能であり、本体の積み重ねが容易であり、これにより、運搬し易いウェーハ保管容器を提供するところにある。
【００１５】
本発明のさらに他の目的は、本体とこの本体に覆い被せられる蓋体との組み合わせが手軽に行え、しかも、積み重ねて収納するときにウェーハが損傷されることを防ぐことのできるウェーハ保管容器を提供するところにある。
【課題を解決するための手段】
【００１６】
本発明の上記の目的は、ウェーハを保管する保管容器であって、受け台の上面に側壁部を備えて、その内側にウェーハが積み重ねられるようにするが、前記側壁部は２重壁体により構成される本体と、端部に下向きにカバー体を備えて前記本体の上部に覆い被せられてウェーハを保護するようにする蓋体と、前記蓋体のカバー体の内側面に配備される結着部と前記本体の受け台の上面に突出するフック部とからなり、前記結着部は、内外側壁により構成されるようにするが、蓋体が本体に覆い被せられたときに結着部と側壁部が交互に配設されて収納室の全体が２重壁体により取り囲まれるようにする組立部と、前記本体の受け台の外側の端部から下向きに突出した積層壁体を備え、前記蓋体の上面にはこの積層壁体の内側に嵌め込まれる固定突起が配備される積層部と、前記本体の受け台に設けられ、側断面に「Ｗ」状に形成され、前記「Ｗ」状の中央に溝部が設けられる位置決め部と、前記位置決め部の溝部が嵌め込まれ、ウェーハを積み重ねるときに本体の水平を維持して揺らぎを防ぐ固定ピンが配備される位置固定部と、を備えるウェーハ保管容器により達成される。
【発明の効果】
【００１７】
本発明は、まず第一に、ウェーハを積み重ねて収納するとき、これらのウェーハが収納される本体の水平を維持して揺らぎを防ぐ位置固定部を備えて、積み重ねて収納するときはもとより、収納後にもウェーハが傾いて損傷されることを防ぐことのできる発明である。
【００１８】
第二に、本発明の保管容器には積層部及び組立部が配備されて本体に対する蓋体の取り付け及び取り外しが容易に行え、さらに、ウェーハが収納される収納室が２重壁体により取り囲まれるようにしてウェーハを保護することのできる発明である。
【００１９】
第三に、本発明の保管容器は製作し易く、積み重ねて収納し易い他、ウェーハの保管及び運搬が手軽に行える発明である。
【図面の簡単な説明】
【００２０】
【図１】本発明による保管容器の分解斜視図である。
【図２】本発明による保管容器の分解斜視図である。
【図３】本発明に適用される本体の平面図である。
【図４Ａ】本発明による保管容器のＡ−Ａ’線断面図である。
【図４Ｂ】本発明による保管容器のＢ−Ｂ’線断面図である。
【図４Ｃ】本発明による保管容器のＣ−Ｃ’線断面図である。
【図５】本発明による保管容器の前断面図である。
【図６】本発明による保管容器の要部拡大断面図である。
【図７】図７は、本発明による側壁部の他の実施形態を示すものである。
【発明を実施するための形態】
【００２１】
本発明を説明するに先立って、ここで用いられる専門用語は単に特定の実施形態を言及するためのものであり、本発明を限定することを意味するものではない。ここで用いられる単数形は文句がこれと明らかに反対の意味を有さない限り、複数形も含む。明細書における「備える」の意味は、特定の特性、領域、整数、段階、動作、要素及び／又は成分を具体化させ、他の特定の特性、領域、整数、段階、動作、要素、成分及び／又は群の存在や付加を除外させるものではない。
【００２２】
別途に断りのない限り、ここで用いられる技術用語及び科学用語をはじめとするあらゆる用語は、本発明が属する技術分野において通常の知識を有する者が一般的に理解する意味と同じ意味を有する。汎用される辞書に定義されている用語は、関連する技術文献と現在開示される内容に符合する意味を有するものであり、追加的に解釈されて定義されない限り、理想的又は非常に公式的な意味として解釈されない。
【００２３】
まず、本発明に添付されている図１は、本発明による保管容器の分解斜視図であり、図２は、本発明による保管容器の分解斜視図であり、図３は、本発明に適用される本体の平面図である。
【００２４】
また、図４Ａは、本発明による保管容器のＡ−Ａ’線断面図であり、図４Ｂは、本発明による保管容器のＢ−Ｂ’線断面図であり、図４Ｃは、本発明による保管容器のＣ−Ｃ’線断面図であり、図５は、本発明による保管容器の前断面図であり、図６は、本発明による保管容器の要部拡大断面図である。
【００２５】
図中、本発明の保管容器１０は、ウェーハが積み重ねられて保管される本体１００と、この本体１００に覆い被せられる蓋体２００と、を備え、これらに加えて、組立部３００及び積層部４００、そして、本発明の核心であるといえる位置決め部５００及び位置固定部６００をさらに備える。
【００２６】
本体１００
本発明による保管容器１０の本体１００は、受け台１２０と、この受け台１２０の上面に立てられる側壁部１４０と、を備える。
【００２７】
前記受け台１２０は、同図に示すように、概ね８角形状に形成され、４つの辺、すなわち、交互に組立部３００を構成する結着部３２０に嵌め込まれるフック部３４０が突出し、このフック部の内側に側壁部１４０が立てられる。
【００２８】
前記側壁部１４０は、同図に示すように、６つが等間隔に配置されて、受け台１２０の上面に突出するものであり、内側はウェーハＷが収納されるように所定の曲げ半径を有する。
【００２９】
一方、前記側壁部１４０は、同図に示すように、内部に空間１４４を有する２重壁体１４２により構成されるが、この空間１４４及び２重壁体１４２は、運搬過程において外部の衝撃からウェーハを保護し、冬場や夏場のウェーハの運搬及び保管過程において内部温度が急変することを防ぐ。
【００３０】
すなわち、２重壁体１４２の間に設けられる空間１４４が空気層を形成することにより、側壁部１４０の内側に形成されるウェーハＷの収納室１６０の内部温度が急変することが防がれる。
【００３１】
図中、本発明による側壁部１４０は、同図に示すように、６個に分離されて構成されて突出しているが、これは一実施形態に過ぎず、場合によっては、６個以下又は６個以上に分割されて設けられてもよい。
【００３２】
前記受け台１２０の外周縁には、下向きに突出した積層壁体１２２が配備される。
【００３３】
この積層壁体１２２は、受け台の中央部位に一体に成形した位置決め部５００が、他の保管容器に積み重ねられたときに係止されないようにし、且つ、位置決め部５００を保護し、積み重ね易くするものである。
【００３４】
蓋体２００
本発明による蓋体２００は、天板２２０と、この天板の端部から下向きに突出して成形されたカバー体２４０と、を備える。
【００３５】
前記天板２２０は、前記本体１００の受け台１２０と同じ形状及び大きさに形成されるが、場合によって、他の形状及び大きさに形成されてもよいということはいうまでもない。
【００３６】
前記カバー体２４０の内側には、組立部３００のフック部３４０が嵌め込まれる結着部３２０が配備される。これについては、後述する。
【００３７】
組立部３００、積層部４００
前記組立部３００は、結着部３２０及びフック部３４０を備え、前記結着部３２０は、前記蓋体のカバー体２４０の内側に設けられ、前記フック部３４０は、本体の受け台１２０の上面に突出する。
【００３８】
前記フック部３４０には、受け台１２０の上面に立てられた弾性片３４２の内側面に傾斜面を有する係合突起３４４が突設され、この係合突起が前記蓋体２００に設けられた結着部３２０に嵌め込まれるようになっている。
【００３９】
前記結着部３２０は、同図に示すように、蓋体に形成されるものであり、内外側壁３２２、３２２ａにより構成され、すなわち、前記側壁部１４０と同様に、運搬過程において外部の衝撃からウェーハを保護し、 冬場や夏場のウェーハの運搬及び保管過程において内部温度が急変することを防ぐ。
【００４０】
換言すると、前記蓋体２００が覆い被せられたときに側壁部４０と結着部３２０が交互に配設されることにより、本体１００の内部収納室１６０の側面の全体が２重壁により取り囲まれるようにする。
【００４１】
前記結着部３２０の内外側壁３２２、３２２ａの間には隔壁３２４が立てられて画成され、中央に存在する空間には略中間部に水平に仕切り板３２６が設けられ、仕切り板に結着孔３２８が形成されて前記フック部３４０が嵌着されるようにする。
【００４２】
一方、前記フック部３４０は、係合に際して、係合突起３４４の傾斜面が前記結着孔の内縁に沿って移動するが、傾斜面が移動するときには弾性片が撓んだ結着孔に嵌め込まれ、孔に嵌め込まれた状態で弾性片が復元されて係止が行われ、引抜に際しては、作業者が弾性片を指で押して引き抜かれる。
【００４３】
前記積層部４００は、前記蓋体２００の上面に他の保管容器が積み重ねられて運搬及び保管が行われるようにするものであり、本体の底面に形成される積層壁体１２２と、前記蓋体の上面に形成される固定突起４２０と、を備える。
【００４４】
前記固定突起４２０は、他の保管容器の本体の底面に配備される積層壁体１２２の内側に嵌め込まれて、運搬及び保管に際して、保管容器の揺らぎを防ぐものであり、組み立て易く、しかも、製作し易いという効果がある。
【００４５】
位置決め部５００及び位置固定部６００
本発明による位置決め部５００は、ウェーハＷを積み重ねて収納するときに、本体の揺らぎを防ぐためのものであり、本体の受け台１２０の３地点に形成され、これらは正三角形状に配置される。
【００４６】
換言すれば、前記位置決め部５００は、同図に示すように、受け台の中心から放射状に配置され、細長い形状、すなわち、長方形の溝部５２０が設けられる。また、前記位置決め部の側断面が「Ｗ」状に形成されるが、これは、受け台の上面又は底面に突出することを防ぐためのものであり、「Ｗ」状の中央に前記溝部５２０が設けられ、この溝部に前記位置固定部６００の固定ピン６４０が嵌着される。
【００４７】
前記固定ピン６４０は、基台板６２０の上面に、前記位置決め部と同様に３地点に突出する。
【００４８】
前記基台板６２０は、同図に示すように平板状に形成され、固定ピン６４０の上端部には、位置決め部が安定的に載置されて固定されるようにする載置部６４２が配備される。
【００４９】
ここで、前記載置部６４２は、ゴム製又は合成樹脂製である。
【００５０】
一方、前記載置部６４２は、インサート射出又はボルト締め及びピン方式により組み付けられる。
【００５１】
添付の図７は、本発明による側壁部の他の実施形態を示すものである。
【００５２】
この実施形態は、ウェーハＷを積み重ねて収納するとき、ウェーハが当接して損傷されることを防ぐためのものであり、側壁部１４０ａに多層にスリット１４１ａを形成し、このスリットに間隔維持板１４２ａを嵌め込んでウェーハが保管されるようにするものである。
【００５３】
換言すれば、本発明の実施形態による容器は、本体１００の収納室の底面に不織布などを敷き、ウェーハを載せた後、前記スリット１４１ａに間隔維持板１４２ａを嵌め込み、さらに間隔維持板１４２ａの上側にウェーハを載せ、さらに間隔維持板を嵌め込む方式である。
【００５４】
このような構成の本発明による間隔維持板は、ウェーハが当接することを防ぐものであり、前記スリットは、同図に示すように、相対向する側壁部の各々又は全体の側壁部に形成される。
【００５５】
また、前記間隔維持板の材質としては、いうまでもなく、ウェーハを損傷させないものが選ばれる。
【００５６】
図中、１４３ａは、前記間隔維持板に穿孔されている孔であり、１４４ａは、側壁部の上面から下方に垂直に穿孔される嵌合孔であり、間隔維持板を嵌め込んだ後、前記嵌合孔に棒状の固定ピンを嵌め込んで、この固定ピンが前記孔を貫通するようにするものであり、これにより、間隔維持板が遊動することを予め遮断する。
【００５７】
以下、このような構成を有する本発明の使用状態について説明する。
【００５８】
本発明の保管容器１０は、本体１００の収納室１６０、すなわち、側壁部１４０の内側にウェーハＷを積み重ねて収納するものであり、まず、本体の受け台１２０に形成される位置決め部５００は、位置固定部６００の固定ピン６４０に載置された状態で、３つの地点に位置が固定されることにより揺らぎがなく、且つ、水平が維持されることによりウェーハが積み重ねられ易い
【００５９】
ウェーハを積み重ねた後、作業者は蓋体２００を覆ってウェーハの損傷を防ぐが、このとき、蓋体に配備される結着部３２０と本体に立てられる側壁部１２０が、ウェーハが収納されている収納室全体を２重壁により取り囲んでウェーハが保護されるようにする。
【００６０】
もちろん、前記本体１００及び蓋体２００は、組立部、すなわち、フック部３４０が結着部３２０に嵌め込まれることにより組み合わせられる。
【００６１】
以上述べたように、本発明が属する技術分野の当業者は、本発明がその技術的思想や必須的特徴を変更することなく他の具体的な形態にて実施可能であるということが理解できるであろう。よって、上述した実施形態はいずれも例示的なものであり、限定的なものではないと理解されるべきである。本発明の範囲は、前記詳細な説明よりは、後述する特許請求の範囲の意味及び範囲並びにその等価概念から導き出されるあらゆる変更例又は変形例が本発明の範囲に含まれるものと解釈されるべきである。
【符号の説明】
【００６２】
１０：保管容器
１００：本体
１２０：側壁部
２００：蓋体
２４０：カバー体
３００：組立部
３２０：結着部    
３３０：フック部
４００：積層部    
５００：位置決め部
６００：位置固定部
【図１】
2015222806.tif 000003
【図２】
2015222806.tif 000004
【図３】
2015222806.tif 000005
【図４Ａ】
2015222806.tif 000006
【図４Ｂ】
2015222806.tif 000007
【図４Ｃ】
2015222806.tif 000008
【図５】
2015222806.tif 000009
【図６】
2015222806.tif 000010
【図７】
2015222806.tif 000011
【手続補正書】
【提出日】平成27年2月27日(2015.2.27)
【手続補正１】
【補正対象書類名】特許請求の範囲
【補正対象項目名】全文
【補正方法】変更
【補正の内容】
【特許請求の範囲】
【請求項１】
ウェーハを保管する保管容器であって、
受け台の上面に側壁部を備えて、その内側にウェーハが積み重ねられるようにするが、前記側壁部は２重壁体により構成される本体と、
端部に下向きにカバー体を備えて前記本体の上部に覆い被せられてウェーハを保護するようにする蓋体と、
前記蓋体のカバー体の内側面に配備される結着部と前記本体の受け台の上面に突出するフック部とからなり、前記結着部は、内外側壁により構成されるようにするが、蓋体が本体に覆い被せられたときに結着部と側壁部が交互に配設されて収納室の全体が２重壁体により取り囲まれるようにする組立部と、
前記本体の受け台の外側の端部から下向きに突出した積層壁体を備え、前記蓋体の上面にはこの積層壁体の内側に嵌め込まれる固定突起が配備される積層部と、
前記本体の受け台に設けられ、側断面に「Ｗ」状に形成され、前記「Ｗ」状の中央に溝部が設けられる位置決め部と、
前記位置決め部の溝部が嵌め込まれ、ウェーハを積み重ねるときに本体の水平を維持して揺らぎを防ぐ固定ピンが配備される位置固定部と、
を備え、
前記前記組立部の結着部は、内外側壁の間に隔壁が立てられて空間が画成され、中央側の空間に仕切り板を備えるが、前記仕切り板にフック部が嵌め込まれる結着孔が形成されるウェーハ保管容器。
【請求項２】
前記位置決め部の溝部と位置固定部の固定ピンの各々は３地点に配設されるが、これらは正三角形状に配設される請求項１に記載のウェーハ保管容器。
【請求項３】
前記位置固定部には、基台板の上面に位置決め部の溝部が嵌め込まれて載置されるようにする固定ピンが配備され、この固定ピンは、上端にゴム製又は合成樹脂製の載置部が配備される請求項１に記載のウェーハ保管容器。
【請求項４】
前記組立部を構成するフック部は、受け台に立てられた弾性片の内側面に傾斜面を有する係合突起により構成される請求項１に記載のウェーハ保管容器。
【手続補正書】
【提出日】平成27年6月11日(2015.6.11)
【手続補正１】
【補正対象書類名】特許請求の範囲
【補正対象項目名】全文
【補正方法】変更
【補正の内容】
【特許請求の範囲】
【請求項１】
ウェーハを保管する保管容器であって、
受け台の上面に側壁部を備えて、その内側にウェーハが積み重ねられるようにするが、前記側壁部は２重壁体により構成される本体と、
端部に下向きにカバー体を備えて前記本体の上部に覆い被せられてウェーハを保護するようにする蓋体と、
前記蓋体のカバー体の内側面に配備される結着部と前記本体の受け台の上面に突出するフック部とからなり、前記結着部は、内外側壁により構成されるようにするが、蓋体が本体に覆い被せられたときに結着部と側壁部が交互に配設されて収納室の全体が２重壁体により取り囲まれるようにする組立部と、
前記本体の受け台の外側の端部から下向きに突出した積層壁体を備え、前記蓋体の上面にはこの積層壁体の内側に嵌め込まれる固定突起が配備される積層部と、
前記本体の受け台に設けられ、側断面に「Ｗ」状に形成され、前記「Ｗ」状の中央に溝部が設けられる位置決め部と、
前記位置決め部の溝部が嵌め込まれ、ウェーハを積み重ねるときに本体の水平を維持して揺らぎを防ぐ固定ピンが配備される位置固定部と、
を備え、
前記組立部の結着部は、内外側壁の間に隔壁が立てられて空間が画成され、中央側の空間に仕切り板を備えるが、前記仕切り板にフック部が嵌め込まれる結着孔が形成されるウェーハ保管容器。
【請求項２】
前記位置決め部の溝部と位置固定部の固定ピンの各々は３地点に配設されるが、これらは正三角形状に配設される請求項１に記載のウェーハ保管容器。
【請求項３】
前記位置固定部には、基台板の上面に位置決め部の溝部が嵌め込まれて載置されるようにする固定ピンが配備され、この固定ピンは、上端にゴム製又は合成樹脂製の載置部が配備される請求項１に記載のウェーハ保管容器。
【請求項４】
前記組立部を構成するフック部は、受け台に立てられた弾性片の内側面に傾斜面を有する係合突起により構成される請求項１に記載のウェーハ保管容器。